(57)【特許請求の範囲】
【請求項１】
ハウジング内に紫外線照射装置を備えたスリッパ消毒供給装置において、スリッパを摺動可能なガイドを前記ハウジング内からハウジング上方に貫通するように垂直又は略垂直に配置し、前記ガイドに沿って垂直軸回り又は略垂直軸回りに回転駆動及び停止される螺旋ワイヤを設け、前記螺旋ワイヤを回転させると、スリッパが螺旋ワイヤと摺動しながら前記ガイドに沿って下降し、途中、前記紫外線照射装置で消毒される際にはスリッパ同士の間隔が広がり、消毒後のスリッパはハウジング下部に重ねてストックされることを特徴とするスリッパ消毒供給装置。
【請求項２】
ピッチの異なる２つの螺旋ワイヤを同軸に設け、前記２つの螺旋ワイヤを同一のモータで駆動することにより、深くはまり込んだスリッパ同士を離す請求項１のスリッパ消毒供給装置。
【発明の詳細な説明】
【０００１】
【発明の属する技術分野】
本発明は、スリッパを消毒し、消毒済みのスリッパを供給するスリッパ消毒供給装置に関するものである。
【０００２】
【従来の技術】
小規模病院や診療所では院内の環境維持のため土足禁止にして、スリッパを着用している例が多い。しかしそこで使用されるスリッパは、来院者が共用で使用する事や、洗浄や殺菌が行われないため、微生物レべルでは相当に汚染されている。また昨今の清潔志向が高まる傾向の中で、他人の使用したスリッパをそのまま使用する事に抵抗を感じる人が増えている。
上記の様な状況の中で、スリッパ消毒殺菌器なるものはすでに存在しているが、そのほとんどは扉付きの下駄箱に紫外線ランプを取り付けたものである。
【０００３】
【発明が解決しようとする課題】
上記の従来のスリッパ消毒殺菌器では、紫外線ランプが照射出来ない部分は殺菌できず、特に下駄箱タイプの消毒殺菌器は、取り出し易い箇所のスリッパばかりが使用され、取り出し易い箇所に収納された使用頻度の高いスリッパほど充分な殺菌時間が確保できない。
本発明は、上記の不具合を解消するスリッパ消毒供給装置を提供することを目的としている。
【０００４】
【課題を解決するための手段】
第１発明は、ハウジング内に紫外線照射装置を備えたスリッパ消毒供給装置において、スリッパを摺動可能なガイドを前記ハウジング内からハウジング上方に貫通するように垂直又は略垂直に配置し、前記ガイドに沿って垂直軸回り又は略垂直軸回りに回転駆動及び停止される螺旋ワイヤを設け、前記螺旋ワイヤを回転させると、スリッパが螺旋ワイヤと摺動しながら前記ガイドに沿って下降し、途中、前記紫外線照射装置で消毒される際にはスリッパ同士の間隔が広がり、消毒後のスリッパはハウジング下部に重ねてストックされることを特徴とするスリッパ消毒供給装置である。
第２発明は、ピッチの異なる２つの螺旋ワイヤを同軸に設け、前記２つの螺旋ワイヤを同一のモータで駆動することにより、深くはまり込んだスリッパ同士を離す第１発明のスリッパ消毒供給装置である。
【０００５】
【発明の実施の形態】
図１は、本発明を適用したスリッパ消毒供給装置１００の一部縦断側面略図を示している。図１において、ハウジング１の上壁に設けた孔１ａを金網からなるガイドレール２が貫通し、図示しないフレームでハウジング１に固着されている。
【０００６】
ガイドレール２は、平面図の図２に示すように底部２ａ、側壁２ｂ及び側壁２ｂと連続しかつ底部２ａと平行でスリッパ上部の中央部分のみを露出させる前壁２ｃから構成されている。
【０００７】
ハウジング１内にはモータ４及び軸受５が固着されている。モータ４の駆動軸４ａには、カップリング４ｂを介して軸６ａが固着されている。また、軸受５には軸６ｂが回動自在に取り付けられている。軸６ａ、６ｂは同軸である。
【０００８】
軸６ａは、図１で見て軸６ａの左側部分が紙面の手前から奥の方向に、又、軸６ａの右側部分が紙面の奥から手前方向（上方から見て時計回り）に回転する。軸６ａには、剛性を有する螺旋ワイヤ７ａ、７ｂのそれぞれの上端が溶着されており、軸６ｂには螺旋ワイヤ７ａ、７ｂのそれぞれの下端が溶着されている。
【０００９】
螺旋ワイヤ７ａは、上から見ると反時計回りに旋回しながら下降しており、その旋回のピッチは図１に示すように、螺旋ワイヤ７ａの上部の間隔Ａ及び下部の間隔Ｃでは比較的小さく、逆に中央部の間隔Ｂでは比較的大きくなっている。
【００１０】
螺旋ワイヤ７ｂも螺旋ワイヤ７ａと同様に上から見ると反時計回りに旋回しながら下降しており、その旋回のピッチも螺旋ワイヤ７ｂの上部の間隔Ｄ及び下部の間隔Ｆでは比較的小さく、逆に中央部の間隔Ｅでは比較的大きくなっている。図１において、螺旋ワイヤ７ａの間隔Ａ、Ｂ、Ｃは、それぞれ螺旋ワイヤ７ｂの間隔Ｆ、Ｅ、Ｄと等しい。
【００１１】
また、図１に示すように、螺旋ワイヤ７ａ、７ｂで形成された間隔Ｍ、Ｎは、同じく螺旋ワイヤ７ａ、７ｂで形成された間隔Ｋよりも小さく設定されている。
【００１２】
以下において、スリッパの足を入れる部分（足の甲が当接する部分）をスリッパと称し、足首に近い方を上端部、つま先に近い方を下端部と称する。図１に示すように螺旋ワイヤ７ａは、図１の詳しくは後述するスリッパ３ｅ〜３ｉの下端部３０ｅ〜３０ｉを載せている。螺旋ワイヤ７ｂは、スリッパ３ｅ〜３ｈの上端部３１ｅ〜３１ｈを上から押さえている。
【００１３】
螺旋ワイヤ７ａの間隔Ａと螺旋ワイヤ７ｂの間隔Ｄの差（間隔Ｌ）は、スリッパの足の甲が当接する部分の長さに相当しており、図１のスリッパ３ｅ〜３ｈは、螺旋ワイヤ７ａ、７ｂで保持されている。
【００１４】
軸受５の下方には、図１で見て左下がりに鋼製の傾斜板１０が設置されている。傾斜板１０には重なったスリッパ３ａ〜３ｄの段差を吸収する段１０ａが設けられている。また、傾斜板１０には窪み１０ｂが設けられており、窪み１０ｂにはリミットスイッチ１１が図示しないボルトナットで固着されている。
【００１５】
リミットスイッチ１１は、傾斜板１０上に突出する端子（図示せず）を備えており、図示しない端子は、スリッパ３ｄの底部で押圧されており、リミットスイッチ１１はＯＦＦ状態で、モータ４は停止している。
【００１６】
ハウジング１内の図１で見て左方の螺旋ワイヤ７ａ、７ｂの間隔Ｋで示した部分には、紫外線灯９ａが設置されている。紫外線灯９ａの螺旋ワイヤ７ａ、７ｂと反対側には反射板１３ａが設置されている。
【００１７】
ハウジング１内の図１で見て右方の螺旋ワイヤ７ａの間隔Ｃの部分には、紫外線灯９ｂが設置されている。紫外線灯９ｂの螺旋ワイヤ７ａ、７ｂと反対側には反射板１３ｂが設置されている。
【００１８】
反射板１３ａ、１３ｂは、それぞれ紫外線灯９ａ、９ｂの側が凹になるように湾曲しており、反射板１３ａ、１３ｂに照射された紫外線は、それぞれスリッパ３ｆ、３ｅの位置へ収束し、スリッパ３ｆ、３ｅの消毒を促進する。
【００１９】
取出口１２からスリッパ３ａが取り出されると、支えを失ったスリッパ３ｂ〜３ｄが斜面１０上を滑り落ち、リミットスイッチ１１の図示しない端子がスリッパ３ｄによる押圧を解かれ、リミットスイッチ１１はＯＮ状態となる。リミットスイッチ１１がＯＮになると、モータ４が動作し、駆動軸４ａが、図１を上から見て時計回りに１回転して停止する。
【００２０】
駆動軸４ａが１回転すると、螺旋ワイヤ７ａ、７ｂも１回転し、スリッパ３ｉは、ガイドレール２に沿って螺旋ワイヤ７ａと摺動しながら下降し、スリッパ３ｈの位置へ移動する。
【００２１】
スリッパ３ａが取り出されると、上述したように螺旋ワイヤ７ａ、７ｂが１回転するので、スリッパ３ｅは螺旋ワイヤ７ａから傾斜板１０上に落下し、図１に示すスリッパ３ｄの位置へ移動する。
【００２２】
スリッパ３ｈの上端部３１ｈは、螺旋ワイヤ７ｂで下向きに押圧されており、スリッパ３ｈは、螺旋ワイヤ７ａ、７ｂで上下に保持される。スリッパ３ｈは、傾斜板１０上に落下するまで、螺旋ワイヤ７ａ、７ｂで保持された状態を保たれる。図１に示すスリッパ３ｈ、３ｉが、仮に深くはまり込んでいても、螺旋ワイヤ７ａ、７ｂの旋回するピッチにずれがあるため、駆動軸４ａが１回転すると間隔Ｍだけ離される。
【００２３】
駆動軸４ａが１回転すると、スリッパ３ｉ、３ｈは、それぞれスリッパ３ｈ、３ｇの位置へ移動して間隔Ｍだけ隔てられ、さらに駆動軸４ａが１回転すると、スリッパ３ｇ、３ｆで示すように間隔Ｋだけ隔てられる。
【００２４】
各スリッパは、図１にスリッパ３ｆで示す位置に来たときに、まず表面を消毒され、同じくスリッパ３ｅで示す位置に来たときに裏面を消毒される。ここでスリッパ３ｆの表面が消毒され易いように、スリッパ３ｆとスリッパ３ｇの間隔Ｋは、比較的大きく設定されている。表面（前面）が消毒済みのスリッパ３ｅは、次に紫外線灯９ｂで裏面（後面）全面を消毒される。
【００２５】
各スリッパは、図１のスリッパ３ｅ、３ｆ、３ｇの位置で消毒されるが、消毒されるまではスリッパの収容数を増やすために、各スリッパの間隔は比較的小さく設定されており、ガイドレール２の上方から投入されたスリッパ３ｉ〜３ｍは互いに重なっており、同じく消毒後のスリッパも、収容数を増やすために、図１にスリッパ３ａ〜３ｄで示すように、間隔は比較的小さく設定されている。
【００２６】
紫外線灯９ａ、９ｂは、常時点灯させておいてもよいが、例えば１５分間スリッパの取り出しが行われなければ消灯するようにタイマ設定してもよい。
【００２７】
本実施例では螺旋ワイヤを２つ（螺旋ワイヤ７ａ、７ｂ）用いたが、スリッパ３ｉ、３ｈ（図１）が容易に離れるのであれば、スリッパを下から支えるだけでよく、その際には螺旋ワイヤは１つ（螺旋ワイヤ７ａ）だけでもよい。
【００２８】
図１のＸ点でガイドレール２の底部２ａを螺旋ワイヤ７ａ側へ傾斜させると、スリッパ３ｉが螺旋ワイヤ７ａ上に載り易くなる。ガイドレール２の上部を後方（図１の右方）へ傾斜させてハウジング１に設置すると、前壁２ｃは、Ｘ点より上方にのみ設ければよく、スリッパが螺旋ワイヤ７ａ上に載った後は、スリッパは底部２ａと側壁２ｂに支持される。
【００２９】
本実施例においては、紫外線灯９ａ、９ｂのみを使用してスリッパを消毒しているが、オゾン供給装置（図示せず）をハウジング１内に備え、オゾンにより消毒を行ってもよい。また、紫外線とオゾンを併用してスリッパを消毒してもよい。
【００３０】
本実施例においては、スリッパ３ａ〜３ｄの４つの消毒済みのスリッパを傾斜板１０上にストックする構成を示したが、スリッパ消毒供給装置の設置場所の都合でスリッパ３ａ（図１）のみストックされるようにしてもよく、また、逆にストックするスリッパ数を増やしてもよい。
【００３１】
【発明の効果】
螺旋ワイヤを用いることにより、各スリッパの間隔を紫外線で殺菌する際にだけ広げ、消毒工程の前後ではスリッパ同士を重ねて収納するため、効率良く省スペース化を図ることができ、かつ確実な消毒を行うことができる。
【００３２】
スリッパを搬送するためのモータが１つで済むため、従来のスリッパ消毒装置と比較して簡単に構成することができ、又、電気代（ランニングコスト）を低減することができる。
【図面の簡単な説明】
【図１】  スリッパ消毒供給装置の一部縦断側面略図である。
【図２】  ガイドレールの平面図である。
【符号の説明】
１  ハウジング
２  ガイドレール
３ａ〜３ｍ  スリッパ
４  モータ
７ａ、７ｂ  螺旋ワイヤ
９ａ、９ｂ  紫外線灯
【図１】
0003741824.tif 000002
【図２】
0003741824.tif 000003